(57)【特許請求の範囲】
【請求項１】
入力データを表示する第一の表示手段と、
前記入力データを表示する第二の表示手段と、
前記第一の表示手段により表示されるデータに対する第一の操作及び前記第二の表示手段により表示されるデータに対する第二の操作を受付ける受付手段と、
一以上の前記第一の操作又は前記第二の操作に基づいて設定される処理条件と
を有し、
前記第二の表示手段は、前記受付手段により前記第一の操作又は前記第二の操作が受付けられた場合、前記処理条件から生成される一の出力データの表示へと表示を切り替え、
前記処理条件は、前記切り替えを行った後は、前記受付手段により前記第一の操作が受付けられた場合と、前記第二の操作が受付けられた場合とで、異なっている
操作受付装置。
【請求項２】
同じ操作に対し、前記第一の操作であるか、前記第二の操作であるかによって、前記処理条件は、異なって設定される
請求項１記載の操作受付装置。
【請求項３】
複数の操作の順序を記憶する操作順序記憶手段
をさらに有し、
前記処理条件は、前記記憶された順序に従い、設定される
請求項１又は２記載の操作受付装置。
【請求項４】
入力データを表示する第一の表示手段と、
前記入力データを表示する第二の表示手段と、
前記第一の表示手段により表示されるデータに対する第一の操作及び前記第二の表示手段により表示されるデータに対する第二の操作を受付ける受付手段と、
一以上の前記第一の操作又は前記第二の操作に基づいて設定される処理条件と、
前記設定された処理条件に応じた印刷をする印刷手段と
を有し、
前記第二の表示手段は、前記受付手段により前記第一の操作又は前記第二の操作が受付けられた場合、前記処理条件から生成される一の出力データの表示へと表示を切り替え、
前記処理条件は、前記切り替えを行った後は、前記受付手段により前記第一の操作が受付けられた場合と、前記第二の操作が受付けられた場合とで、異なっている
画像形成装置。
【請求項５】
複数の前記第二の操作の順序を記憶する操作順序記憶手段
をさらに有し、
前記設定手段は、前記受付手段により、前記第一の操作が受付けられた場合に、受付けられた第一の操作に対応する第１の処理を原稿データに行い、前記第二の操作が受付けられた場合に、前記記憶された順序に従い、第二の操作に対応する第２の処理を前記第１の処理がなされた原稿データに対して行なう
請求項４記載の画像形成装置。
【請求項６】
入力データを表示する第一の表示ステップと、
前記入力データを表示する第二の表示ステップと、
前記第一の表示ステップにより表示されるデータに対する第一の操作及び前記第二の表示ステップにより表示されるデータに対する第二の操作を受付けるステップと、
一以上の前記第一の操作又は前記第二の操作に基づいて処理条件を設定する設定ステップと
をコンピュータに実行させ、
前記第二の表示ステップは、前記第一の操作又は前記第二の操作が受付けられた場合、前記処理条件から生成される一の出力データの表示へと表示を切り替え、
前記処理条件は、前記切り替えを行った後は、前記第一の操作が受付けられた場合と、前記第二の操作が受付けられた場合とで、異なっている
プログラム。
【発明の詳細な説明】
【技術分野】
【０００１】
本発明は、操作受付装置、画像形成装置及びプログラムに関する。
【背景技術】
【０００２】
特許文献１は、読み取った原稿または仮想の原稿をプレビュー画面内にプレビュー画像として表示するとともに、タッチパネル或いはマウスを使用してプレビュー画像上で画像の簡易編集と後処理の設定をプレビュー画像に反映しながら行い、プレビュー画面に表示されたように印刷或いは後処理を行うことが可能な画像形成装置に関して開示している。
【先行技術文献】
【特許文献】
【０００３】
【特許文献１】特開２００４−２８２４３９号公報
【発明の概要】
【発明が解決しようとする課題】
【０００４】
本発明の目的は、入力データから出力データを生成するための処理条件として、所望の条件を容易に設定することができる操作受付装置、画像形成装置及びプログラムを提供することである。
【課題を解決するための手段】
【０００５】
［操作受付装置］
請求項1に係る本発明は、表示される入力データに対する操作及び表示され、前記入力データから処理条件に基づいて生成される出力データに対する操作を受付ける受付手段と、前記受付手段により前記入力データに対する操作が受付けられた場合と、前記出力データに対する操作が受付けられた場合とで、異なった処理条件を設定する設定手段とを有する操作受付装置である。
【０００６】
請求項２に係る本発明は、前記設定手段は、同じ操作について、前記表示される入力データに対する操作であるか、前記出力データに対する操作であるかによって、処理条件を異ならせる請求項１記載の操作受付装置である。
【０００７】
請求項３に係る本発明は、複数の操作の順序を記憶する操作順序記憶手段をさらに有し、前記設定手段は前記記憶された順序に従い、前記処理条件を設定する請求項１又は２記載の操作受付装置である。
【０００８】
［画像形成装置］
請求項４に係る本発明は、表示される原稿データに対する操作及び表示され、前記原稿データから印刷条件に基づいて生成される印刷データに対する操作を受付ける受付手段と、前記受付手段により前記原稿データに対する操作が受付けられた場合と、前記印刷データに対する操作が受付けられた場合とで、印刷条件を異にして設定する設定手段と、設定された印刷条件に基づいて生成された印刷データを印刷する印刷手段とを有する画像形成装置である。
【０００９】
請求項５に係る本発明は、表示される前記印刷データに対する複数の操作の順序を記憶する操作順序記憶手段をさらに有し、前記設定手段は、前記受付手段により、前記原稿データに対する操作が受付けられた場合に、受付けられた操作に対応する第１の処理を原稿データに行い、前記印刷データに対する操作が受付けられた場合に、前記記憶された順序に従い、操作に対応する第２の処理を前記第１の処理がなされた原稿データに対して行なう請求項４記載の画像形成装置である。
【００１０】
［プログラム］
請求項６に係る本発明は、表示される入力データに対する操作及び表示され、前記入力データから処理条件に基づいて生成される出力データに対する操作を受付けるステップと、表示される入力データに対する操作として操作が受付けられた場合と、表示される出力データに対する操作として操作が受付けられた場合とで、異なった処理条件を設定するステップとをコンピュータに実行させるプロである。
【発明の効果】
【００１１】
請求項１に係る本発明によれば、本構成を有しない場合と比べ、入力データから出力データを生成するための処理条件として、所望の条件を容易に設定することができる操作受付装置を提供することができる。
【００１２】
請求項２に係る本発明によれば、請求項１に係る本発明の効果に加え、本構成を有しない場合と比べ、より少ない操作の種類により所望の条件を設定することができる操作受付装置を提供することができる。
【００１３】
請求項３に係る本発明によれば、請求項１又は２に係る本発明の効果に加え、処理条件の処理順序を設定することができる操作受付装置を提供することができる。
【００１４】
請求項４に係る本発明によれば、本構成を有しない場合と比べ、原稿データの印刷条件として、所望の条件を容易に設定することができる画像形成装置を提供することができる。
【００１５】
請求項５に係る本発明によれば、請求項４に係る本発明の効果に加え、印刷条件の処理順序を設定することができる画像形成装置を提供することができる。
【００１６】
請求項６に係る本発明によれば、本構成を有しない場合と比べ、入力データから出力データを生成するための処理条件として、所望の条件を容易に設定することができるプログラムを提供することができる。
【図面の簡単な説明】
【００１７】
【図１】本発明の実施形態に係る操作受付装置の一例である画像形成装置１０を示す断面図である。
【図２】画像形成装置１０のハードウェア構成を示すブロック図である。
【図３】画像形成装置１０において動作するプログラム７０を示すブロック図である。
【図４】ＵＩ装置５０に表示される印刷条件設定用の画面の一例を示す模式図である。
【図５】十文字にタッチ位置を移動させるジェスチャーについて、入力表示操作の場合の設定と出力表示操作の場合の設定との違いを説明する模式図である。
【図６】設定用画像１１０について、入力表示操作の場合の設定と出力表示操作の場合の設定との違いを説明する模式図である。
【図７】設定用画像１００について、入力表示操作の場合の設定と出力表示操作の場合の設定との違いを説明する模式図である。
【図８】余白幅を変更するジェスチャーについて、入力表示操作の場合の設定と出力表示操作の場合の設定との違いを説明する模式図である。
【図９】原稿データ画像又は印刷データ画像の角を起点にタッチ位置を移動させるジェスチャーについて、入力表示操作の場合の設定と出力表示操作の場合の設定との違いを説明する模式図である。
【図１０】設定用画像１０４について、入力表示操作の場合の設定と出力表示操作の場合の設定との違いを説明する模式図である。
【図１１】原稿の向きと割付設定との関係を示す模式図である。
【図１２】余白幅を変更する設定と付加画像を付加する設定の処理順序の違いによる印刷条件の差異を説明する模式図である。
【図１３】割付設定、余白幅を変更する設定、付加画像を付加する設定の順に処理がなされる場合の印刷条件の差異について示す模式図である。
【図１４】割付設定、付加画像を付加する設定、余白幅を変更する設定の順に処理がなされる場合の印刷条件の差異について示す模式図である。
【図１５】プログラム７０による動作を説明するフローチャートである。
【図１６】割当設定、余白幅を変更する設定、付加画像を付加する設定及び合紙を挿入する設定を行なった場合の印刷条件について説明する模式図である。
【発明を実施するための形態】
【００１８】
以下、本発明の実施形態について図面を参照して詳細に説明する。
図１は、本発明の実施形態に係る操作受付装置の一例である画像形成装置１０を示す断面図である。
【００１９】
画像形成装置１０は、印刷装置１２及び画像読取装置１４を有し、印刷装置１２は、例えば３段の記録媒体供給カセット１６を有し、これら記録媒体供給カセット１６のそれぞれには供給ヘッド１８が設けられている。記録媒体供給カセット１６の各段には、それぞれ異なる大きさの記録媒体が格納されていてもよいし、同じ大きさの記録媒体が一方の段では横向きに格納されており他方の段では縦向きに格納されていてもよい。
【００２０】
記録媒体供給カセット１６の一つが選択されると、供給ヘッド１８が作動して選択された記録媒体供給カセット１６から記録媒体供給路２０を介して、記録媒体が、画像形成部２２に供給される。
【００２１】
また、画像形成装置１０は、ファクシミリ機能（図示せず）を有してもよい。
【００２２】
画像形成部２２は、イエロー、マゼンタ、シアン及びブラックの各感光体２４が併設されていると共に、中間転写ベルト２６が設けられている。
【００２３】
各感光体２４の周囲には、帯電装置、露光装置、現像装置、一次転写装置及びクリーニング装置など（図示せず）が配置され、各感光体２４に形成されたトナー像が中間転写ベルト２６に転写される。白黒設定された場合は、ブラックのみが作動可能であるようにされる。
【００２４】
中間転写ベルト２６のトナー像は、二次転写ロール２８により、送られてきた記録媒体に転写され、定着装置３０により定着され、このトナー像が定着された記録媒体が記録媒体排出路３２を通って排出部３４に排出される。
【００２５】
ただし、両面印刷が設定された場合は、定着装置３０により表面が定着された記録媒体は、記録媒体排出路３２から反転装置３６に送られ、この反転装置３６で反転され、記録媒体反転路３８に送られ、再び記録媒体供給路２０に戻され、画像形成部２２に送られて裏面の印刷がなされる。
【００２６】
画像読取装置１４は、両面原稿の読み取りが可能な自動原稿送り装置４０を有し、この自動原稿送り装置４０により原稿はプラテン４２に送られ、このプラテン４２上でＣＣＤ等からなる読取部４４により原稿が読み取られる。また、画像読取装置１４は、操作者によりプラテン４２に置かれた原稿を読取部４４にて読み取ってもよい。
【００２７】
自動原稿送り装置４０に原稿がセットされたか否かを検出する原稿セット検出器４６が設けられている。また、自動原稿送り装置４０はプラテンカバーを兼ねており、このプラテンカバーを開けることにより原稿をプラテン４２上に置くことができる。このプラテンカバーの開閉は、プラテンカバー開閉検出器４８により検出できるようになっている。
【００２８】
ユーザインターフェース装置５０（以下「ＵＩ装置５０」）は、画像形成装置１０と一体に、又はネットワークを介して設けられる。また、ＵＩ装置５０は、例えばタッチパネルなどからなり、操作者からの画像形成装置１０への処理条件についての指示を入力として受け付け、又は情報を表示することができるように構成されている。
【００２９】
また、この画像形成装置１０は、公衆回線へ接続されたファクシミリ用のモデムと、ＬＡＮ等のネットワークに接続されるネットワーク通信装置が設けられている。画像形成装置１０に設けられたネットワーク通信装置を用いることで、画像読取装置１４により読み取った画像をネットワークに接続された端末に送信することができる。また、画像形成装置１０は、ネットワーク通信装置を介して、ネットワークに接続された端末からデータを受付ける。
【００３０】
図２は、画像形成装置１０のハードウェア構成を示すブロック図である。
【００３１】
図２に示すように、画像形成装置１０は、図１のＵＩ装置５０のほか、ＣＰＵ５２、メモリ５４、入出力インタフェース５６、スキャンインタフェース５８、プリントインタフェース６０、ネットワーク通信インタフェース６２、ファクシミリ用のモデムインタフェース６４、及び記憶装置６６がバス接続された構成となっている。
【００３２】
つまり、画像形成装置１０は、情報処理及び他の装置との通信が可能なコンピュータとしての構成部分を有している。
【００３３】
ＣＰＵ５２は、メモリ５４又は記憶装置６６に書き込まれた後述するプログラム７０を実行することにより、画像形成装置１０の動作を制御する。ＵＩ装置５０を介して受け付けられた入力はＣＰＵ５２に伝達され、ＣＰＵ５２からの表示情報がＵＩ装置５０に伝達するようにしてある。
【００３４】
なお、ＣＰＵ５２は、ＣＤＲＯＭ等の記憶媒体に格納されたプログラム７０を実行してもよく、又はネットワーク通信インタフェース６２を介して提供されるプログラム７０を実行してもよい。
【００３５】
入出力インタフェース５６には、図１の原稿セット検出器４６からの原稿セット検出信号と、図１のプラテンカバー開閉検出器４８からのプラテンカバー開閉信号が入力される。
【００３６】
スキャンインタフェース５８は、図１の画像読取装置１４に接続され、プリントインタフェース６０は、図１の印刷装置１２に接続されている。
【００３７】
ネットワーク通信インタフェース６２は、画像形成装置１０に設けられたネットワーク通信装置に接続され、モデムインタフェース６４は、画像形成装置１０に設けられたファクシミリ用モデムに接続されている。
【００３８】
また、バスには記憶装置６６が接続されており、例えばネットワークに接続された端末から送信されたデータを、画像形成装置１０に設けられた記憶装置６６に記憶することができる。また、記憶装置６６は、後述する操作順序を記憶してもよい。
【００３９】
以上の構成により、画像形成装置１０は、ネットワーク通信インタフェース６２を介して受付けたデータ及び画像読取装置１４により読み取られたデータを、印刷装置１２により印刷する。また、画像形成装置１０は、ＵＳＢメモリなどの図示しない外部記憶媒体に記憶されたデータを直接受付けて、印刷装置１２により印刷してもよい。
【００４０】
図３は、画像形成装置１０において動作するプログラム７０を示すブロック図である。図３に示すように、プログラム７０は、入力データ受付部７２、操作受付部７４、設定部７６、入力データ表示部７８、操作順序記憶部８０、出力データ表示部８２及び出力部８４から構成される。なお、設定部７６は、第１の処理を行なう原稿データ処理部８６及び第２の処理を行なうレイアウト処理部８８から構成されている。
【００４１】
入力データ受付部７２は、入力データを受付ける。本実施形態では、入力データ受付部７２は、入力データとして、ネットワークに接続された端末から送信された原稿データ又は画像読取装置１４により読み取られた原稿データを受付ける。ここで、原稿データとは、印刷対象の元となるデータをいう。なお、入力データ受付部７２は、ＵＳＢメモリなどの外部記憶媒体に記憶された原稿データを直接受付けてもよい。
【００４２】
また、入力データ受付部７２は、受付けた入力データを設定部７６へ出力する。なお、入力データは、例えば、記憶装置、メモリなどの記憶部に一旦記憶させた後に当該記憶部を介して設定部７６へ送られてもよい。
【００４３】
操作受付部７４は、入力データから出力データを生成する際の処理条件を設定する操作を受付ける。具体的には、操作受付部７４は、入力データ表示部７８が表示する入力データに対する操作（以下、「入力表示操作」と言うことがある）と、出力データ表示部８２が表示する出力データに対する操作（以下、「出力表示操作」と言うことがある）とを区別して、操作を受付ける。また、操作受付部７４は、受付けた操作を設定部７６へ出力とする。
【００４４】
本実施形態では、操作受付部７４は、ＵＩ装置５０への操作者による操作について、入力表示操作と、出力表示操作とを区別して受付け、前者の操作については原稿データ処理部８６へ出力し、後者の操作については操作順序記憶部８０へ出力する。ただし、入力表示操作には、入力データ表示部７８が表示する入力データに対する操作のほか、入力データ表示部７８が表示する、原稿データ処理部８６による処理がなされた原稿データに対する操作も含むものとする。
【００４５】
なお、ＵＩ装置５０は、ＵＩ装置５０における表示画面内の位置の指定を受付け、受付けた位置についての情報（位置情報）を、操作受付部７４へ出力する。例えば、操作者は、ＵＩ装置５０における表示画面内のいずれかの位置を、触れたり（タッチ）、触れた位置を移動させたり（ジェスチャー）するなどして、位置の指定を行なう。操作受付部７４は、ＵＩ装置５０からの位置情報により操作者の操作を識別し、操作を受付ける。
【００４６】
設定部７６は、入力データから出力データを生成するための処理条件を設定する。ただし、設定部７６は、入力表示操作として受付けられた場合と、出力表示操作として受付けられた場合とで、異なる処理条件を設定する。また、処理条件の設定に関し、設定部７６は、記憶された操作順序に従って、操作に対応した処理条件を設定する。
【００４７】
本実施形態では、設定部７６は、同じ操作であっても、入力表示操作として受付けられたか、出力表示操作として受付けられたかによって、処理条件を異ならせて設定する。ここで、同じ操作とは、入力表示操作であるか出力表示操作であるかという点を除き、操作者による手順が同じである操作をいう。
【００４８】
本実施形態において、設定部７６は、原稿データの印刷条件として、入力表示操作と出力表示操作とで異なる印刷条件を設定する。本実施形態の設定部７６は、原稿データ処理部８６及びレイアウト処理部８８により、印刷条件を設定する。
【００４９】
ここで、まず、プログラム７０の各構成のうち、主に入力表示操作に関わる部分を説明する。
【００５０】
原稿データ処理部８６は、操作受付部７４が受け付けた入力表示操作に対応する処理を、入力データ受付部７２から出力された原稿データに対して行い、入力データ表示部７８及びレイアウト処理部８８へ出力する。例えば、原稿データ処理部８６は、受付けた入力表示操作に対応する処理として、余白幅を変更する処理、スタンプ（印章）などの付加画像を付する処理などを行なう。
【００５１】
入力データ表示部７８は、入力データ受付部７２が受け付けた入力データをＵＩ装置５０に表示する。本実施形態における入力データ表示部７８は、入力データ受付部７２が受け付けた原稿データ、又は原稿データ処理部８６による処理がなされた原稿データをＵＩ装置５０に表示する。
【００５２】
ここで、ＵＩ装置５０には、入力データ表示部７８による表示と後述する出力データ表示部による表示とが同時に行なわれる。なお、具体的な表示例については、後述する。
【００５３】
次に、プログラム７０の各構成のうち、主に出力表示操作に関わる部分を説明する。
【００５４】
操作順序記憶部８０は、操作受付部７４が受け付けた出力表示操作を、操作受付部７４により受け付けられた順序とともに記憶する。
【００５５】
レイアウト処理部８８は、原稿データ処理部８６による処理がなされた原稿データに対し、操作順序記憶部８０に記憶された操作に対応する処理を、記憶された操作順序に従って行ない、印刷データとして出力データ表示部８２及び出力部８４へ出力する。例えば、レイアウト処理部８８は、操作順序記憶部８０に記憶された操作に対応する処理として、余白幅を変更する処理、スタンプ（印章）などの付加画像を付する処理などを行なう。
【００５６】
出力データ表示部８２は、入力データに現在の設定を反映させ、出力データをＵＩ装置５０に表示する。本実施形態における出力データ表示部８２は、原稿データに対する現在設定されている印刷条件を原稿データに対し適用して生成される印刷データを表示する。出力データ表示部８２による印刷データの表示は、プレビュー画像（確認用画像）として、操作者によって、印刷条件に誤りがないか確認される。
【００５７】
出力部８４は、設定部７６により設定された処理条件により処理を実行する処理部に処理条件を出力する。本実施形態における出力部８４は、レイアウト処理部８８により生成された印刷データを、印刷装置１２へ出力する。印刷装置１２では、設定部７６により設定された印刷条件により原稿データの印刷が行なわれる。
【００５８】
次に、ＵＩ装置５０に表示される印刷条件設定用の画面について説明する。
図４は、ＵＩ装置５０に表示される印刷条件設定用の画面の一例を示す模式図である。
【００５９】
図４（ａ）に示すように、印刷条件設定用の画面は、例えば、原稿データ表示領域９０、印刷データ表示領域９２及び設定用画像表示領域９４から構成されている。
【００６０】
原稿データ表示領域９０には、原稿データ９６が入力データ表示部７８により表示される。印刷データ表示領域９２には、印刷データ９８が出力データ表示部８２により表示される。設定用画像表示領域９４には、印刷条件を設定するための設定用画像として、例えば設定用画像１００〜１１０が表示される。
【００６１】
なお、図４に示した例では、印刷条件が設定されていない状態（初期状態）の画面が例示されており、原稿データ表示領域９０、印刷データ表示領域９２には、それぞれ入力データ表示部７８、出力データ表示部８２により、入力データ受付部７２が受付けた原稿データが表示されている。
【００６２】
設定用画像には、１つ又は２つの設定内容が対応しており、操作者が設定用画像を原稿データ表示領域９０又は印刷データ表示領域９２にドラッグすることで、当該設定内容が印刷条件として設定される。ただし、設定用画像に２つの設定内容が対応している場合には、原稿データ表示領域９０へとドラッグされた場合（入力表示操作がされた場合）に一方の設定内容が設定され、印刷データ表示領域９２へとドラッグされた場合（出力表示操作がされた場合）に他方の設定内容が設定される。
【００６３】
なお、本実施形態ではドラッグされた場合に設定内容が設定されるとして説明するが、操作としては、設定用画像１００乃至１１０のいずれかの指定と原稿データ表示領域９０又は印刷データ表示領域９２のいずれかの指定とがなされればよい。
【００６４】
以下、図４に図示した設定用画像１００〜１１０についての設定内容について説明する。
【００６５】
設定用画像１００には、付加画像を原稿データに付加する設定内容が対応している。
【００６６】
設定用画像１０２には、印刷倍率を変更する設定内容が対応している。
【００６７】
設定用画像１０４には、原稿データの向きを変更させる設定内容（以下、原稿回転設定という）と、画像形成に用いられる記録媒体の向きを変更させる設定内容（以下、用紙格納向き設定という）との２つの設定内容が対応している。原稿回転設定は、設定用画像１０４が原稿データ表示領域９０へとドラッグされた場合に設定され、用紙格納向き設定は設定用画像１０４が印刷データ表示領域９２へとドラッグされた場合に設定される。
【００６８】
例えば、複数の記録媒体供給カセット１６のうち、一方には記録媒体が横向きに格納されており、他方には記録媒体が縦向きに格納されている場合に、設定用画像１０４が印刷データ表示領域９２へとドラッグされて記録媒体の向きが横向きに設定されたときは、記憶媒体を横向きに格納している記録媒体供給カセット１６からの記録媒体が画像形成に用いられる。
【００６９】
また、原稿回転設定では、例えば、設定用画像１０４が原稿データ表示領域９０へとドラッグされるごとに９０度右回転した設定がなされる。よって、２度ドラッグされると、向きを１８０度変える設定がなされる。
【００７０】
設定用画像１０６には、１枚の記録媒体に複数ページを割り付けて印刷する設定内容（以下、割付設定という）が対応している。割付設定では、例えば、設定用画像１０６が１回ドラッグされると２ページが割付けられ、２回ドラッグされると４ページが割付ける設定がなされる。
【００７１】
設定用画像１０８には、１ページを複数ページに分割して印刷する設定内容（以下、原稿分割設定という）が対応している。原稿分割設定では、例えば、設定用画像１０８が１回ドラッグされると２分割され、２回ドラッグされると４分割される設定がなされる。
【００７２】
設定用画像１１０には、合紙を挿入する設定内容が対応している。
【００７３】
なお、本実施形態では、印刷条件の設定は、原稿データ表示領域９０に表示された原稿データ又は印刷データ表示領域９２に表示された印刷データに対する、ジェスチャーによってもなされる。ジェスチャーによる印刷条件の設定については、図５、図８及び図９を用いて後述する。また、設定用画像表示領域９４には、印刷条件を設定するための設定用画像として、上記設定用画像１００〜１１０以外の設定用画像が配置されてもよい。
【００７４】
図４（ａ）では、原稿データ表示領域９０及び印刷データ表示領域９２に１ページ分が表示される画面を例示したが、図４（ｂ）に示されるように、原稿データ表示領域９０及び印刷データ表示領域９２に複数ページ表示するように画面を構成してもよい。
【００７５】
次に、同じ操作について、操作受付部７４が、入力表示操作として受付けられた場合と、出力表示操作として受付けられた場合とで、設定部７６が異なる処理条件を設定する例について、図５乃至図１０を用いて説明する。
【００７６】
図５は、十文字にタッチ位置を移動させるジェスチャーについて、入力表示操作の場合の設定と出力表示操作の場合の設定との違いを説明する模式図である。
【００７７】
上述のとおり、操作受付部７４は、設定用画像表示領域９４内の設定用画像のドラッグ操作以外にも、予め定められたジェスチャーを操作として受付ける。図５に示した例は、図中の矢印で示すように十文字に画面をタッチするジェスチャーについて、設定の違いを説明する。
【００７８】
図５において、原稿データ画像１１２は、複数ページから構成される原稿データの１ページを示す画像である。また、原稿データ画像１１４は、図に示されるように、４ページ分が１ページに割り付けられたような構成の原稿データを示す画像である。なお、以下の説明において、原稿データ表示領域９０に表示された原稿データの画像を原稿データ画像、印刷データ表示領域９２に表示された印刷データの画像を印刷データ画像とそれぞれ呼ぶことがある。
【００７９】
また、図５において、印刷データ画像１１６，１１８は、それぞれ、操作後の設定が反映された印刷データを図示したものであり、操作前には例えばそれぞれ原稿データ画像１１２，１１４が表示されている。なお、図６乃至１０についても同様に、印刷データ表示領域９２に表示された印刷データは、当該操作による設定が反映された様子を示している。
【００８０】
図５（ａ）に示されるように、設定部７６は、このジェスチャーが出力表示操作としてなされた場合、４ページを１枚の記録媒体に割り付ける割付設定を行なう。これに対し、図５（ｂ）に示されるように、設定部７６は、このジェスチャーが入力表示操作としてなされた場合、１ページを４ページに分割して印刷する設定を行なう。なお、印刷データ画像１１８は、分割後の複数ページのうちの１ページを表示している。
【００８１】
このように、十文字に画面をタッチするジェスチャーは、２つの設定内容に対応しており、いずれの設定内容が設定されるかは、入力表示操作であるか出力表示操作であるかによって定まる。
【００８２】
図６は、設定用画像１１０について、入力表示操作の場合の設定と出力表示操作の場合の設定との違いを説明する模式図である。
【００８３】
図６に示した例では、既に割付設定がなされており、印刷データ表示領域９２には、４ページが割り付けられた印刷データが表示されている。
【００８４】
ここで、図６（ａ）に示されるように、設定用画像１１０が原稿データ表示領域９０にドラッグされ入力表示操作がなされた場合、設定部７６は、合紙が挿入された原稿に基づいてページの割付を行う設定をする。これに対し、図６（ｂ）に示されるように、設定用画像１１０が印刷データ表示領域９２にドラッグされ出力表示操作がなされた場合、設定部７６は、ページの割付がなされた原稿に対して合紙を挿入する設定を行なう。
【００８５】
図７は、設定用画像１００について、入力表示操作の場合の設定と出力表示操作の場合の設定との違いを説明する模式図である。
【００８６】
図７に示した例でも、既に割付設定がなされており、印刷データ表示領域９２には、４ページが割り付けられた印刷データが表示されている。
【００８７】
ここで、図７（ａ）に示されるように、設定用画像１００が原稿データ表示領域９０にドラッグされ入力表示操作がなされた場合、設定部７６は、付加画像が付加された原稿に基づいてページの割付を行う設定をする。これに対し、図７（ｂ）に示されるように、設定用画像１００が印刷データ表示領域９２にドラッグされ出力表示操作がなされた場合、設定部７６は、ページの割付がなされた原稿に対して付加画像を付加する設定を行なう。
【００８８】
図８は、余白幅を変更するジェスチャーについて、入力表示操作の場合の設定と出力表示操作の場合の設定との違いを説明する模式図である。
【００８９】
余白幅を変更するジェスチャーは、図中の矢印として示されるように、原稿データ画像又は印刷データ画像の余白の内側端を起点として内側方向又は外側方向へとタッチ位置を移動させることにより余白幅を変更する設定を行うことができるジェスチャーである。
【００９０】
なお、図８に示した例でも、既に割付設定がなされており、印刷データ表示領域９２には、４ページが割り付けられた印刷データが表示されている。
【００９１】
ここで、図８（ａ）に示されるように、原稿データ表示領域９０において余白幅を変更するジェスチャーがなされ入力表示操作がなされた場合、設定部７６は、余白幅が変更された原稿に基づいてページの割付を行う設定をする。これに対し、図８（ｂ）に示されるように、印刷データ表示領域９２において余白幅を変更するジェスチャーがなされ出力表示操作がなされた場合、設定部７６は、ページの割付がなされた原稿に対して余白幅を変更する設定を行なう。
【００９２】
図９は、原稿データ画像又は印刷データ画像の角を起点にタッチ位置を移動させるジェスチャーについて、入力表示操作の場合の設定と出力表示操作の場合の設定との違いを説明する模式図である。
【００９３】
図９（ａ）に示されるように、設定部７６は、このジェスチャーが入力表示操作としてなされた場合、画像が形成される記憶媒体の大きさは変更せず、原稿の拡大又は縮小する設定を行なう。これに対し、図９（ｂ）に示されるように、設定部７６は、このジェスチャーが入力表示操作としてなされた場合、画像が形成される記憶媒体の大きさを変更する設定を行なう。
【００９４】
このように、図９で説明したジェスチャーは、図５にて説明したジェスチャーと同様、２つの設定内容に対応しており、いずれの設定内容が設定されるかは、入力表示操作であるか出力表示操作であるかによって定まる。
【００９５】
図１０は、設定用画像１０４について、入力表示操作の場合の設定と出力表示操作の場合の設定との違いを説明する模式図である。
【００９６】
図１０（ａ）に示されるように、設定用画像１０４が原稿データ表示領域９０にドラッグされ入力表示操作がなされた場合、設定部７６は、上述の原稿回転設定を行なう。これに対し、図１０（ｂ）に示されるように、設定用画像１０４が印刷データ表示領域９２にドラッグされ出力表示操作がなされた場合、設定部７６は、上述の用紙格納向き設定を行なう。
【００９７】
ここで、原稿回転設定と割付設定との関係を説明する。
図１１は、原稿の向きと割付設定との関係を示す模式図である。図１１（ａ）に示す縦向き原稿について割付設定を行なった場合、図１１（ｂ）に示すように縦向き原稿用の割付け方により割り付けが設定される。これに対し、図１１（ｃ）に示す横向き原稿について割付設定を行なった場合、図１１（ｄ）に示すように横向き原稿用の割付け方により割り付けが設定される。操作者は、例えば、原稿の向き対応した所望の割付を得るために、原稿回転設定の操作を行なう。
【００９８】
次に、複数の設定内容における処理順序の違いによる差異について説明する。
図１２は、余白幅を変更する設定と付加画像を付加する設定の処理順序の違いによる印刷条件の差異を説明する模式図である。
【００９９】
図１２（ａ）は、原稿データに対し、余白幅を変更する処理を行なった後に付加画像を付加した場合の印刷データの変遷を示している。図１２（ｂ）は、原稿データに対し、付加画像を付加した後に余白幅を変更する処理を行なった場合の印刷データの変遷を示している。図１２（ａ）及び（ｂ）において、一番右の印刷データに示されるようにいずれの処理が先になされるかにより、印刷条件が異なる。なお、図１２に図示されている変遷は、余白幅を変更する設定又は付加画像を付加する設定が、入力表示操作であっても出力表示操作であっても同じである。
【０１００】
このような操作順序の違いによる印刷条件の差異については、具体的には、図１５を用いて後述するフローチャートによる動作により実現される。
【０１０１】
続いて、割付設定がなされた印刷データに対しての、余白幅を変更する設定と付加画像を付加する設定の処理順序の違いによる印刷条件の差異を図１３及び図１４を用いて説明する。
【０１０２】
図１３は、割付設定、余白幅を変更する設定、付加画像を付加する設定の順に処理がなされる場合の印刷条件の差異について示す模式図である。図１３において、印刷データ１２０は、出力表示操作、入力表示操作、入力表示操作の順で、割付設定、余白幅を変更する設定、付加画像を付加する設定の操作が行なわれた場合の印刷データを示している。印刷データ１２２乃至１２６についても、同様に、図中に示される順で入力表示操作又は出力表示操作がなされた場合の印刷データを示している。
【０１０３】
図１４は、割付設定、付加画像を付加する設定、余白幅を変更する設定の順に処理がなされる場合の印刷条件の差異について示す模式図である。図１４において、印刷データ１２８は、出力表示操作、入力表示操作、入力表示操作の順で、割付設定、付加画像を付加する設定、余白幅を変更する設定の操作が行なわれた場合の印刷データを示している。印刷データ１３０乃至１３４についても、同様に、図中に示される順で入力表示操作又は出力表示操作がなされた場合の印刷データを示している。
【０１０４】
図１３及び図１４の印刷データ１２０〜１３４に示されるように、入力表示操作であるか出力表示操作であるかによって、さらには処理順序（操作順序）によって、印刷条件は異なる。このような印刷条件の差異についても、図１５を用いて後述するフローチャートによる動作により実現される。
【０１０５】
図１５は、プログラム７０による動作を説明するフローチャートである。
【０１０６】
ステップ１００（Ｓ１００）において、入力データ受付部７２は、入力データとして、原稿データを受付ける。
【０１０７】
ステップ１０２（Ｓ１０２）において、入力データ表示部７８はステップ１００において入力データ受付部７２が受付けた原稿データを原稿データ表示領域９０に表示し、出力データ表示部８２はステップ１００において入力データ受付部７２が受付けた原稿データを印刷データとして印刷データ表示領域９２に表示する。
【０１０８】
ステップ１０４（Ｓ１０４）において、操作受付部７４は、入力表示操作と出力表示操作とを区別して、操作者からのＵＩ装置５０への操作を受付ける。
【０１０９】
ステップ１０６（Ｓ１０６）において、操作受付部７４は、受付けた操作が入力表示操作であるか否かを判定し、入力表示操作である場合にはステップ１０８へ移行し、入力表示操作ではない場合には、ステップ１１８へ移行する。
【０１１０】
ステップ１０８（Ｓ１０８）において、操作受付部７４は、受付けた操作が印刷条件の設定についての操作であるか否かを判定し、印刷条件の設定についての操作である場合には、ステップ１１０へ移行し、印刷条件の設定についての操作でない場合にはステップ１０４へと戻る。
【０１１１】
ステップ１１０（Ｓ１１０）において、原稿データ処理部８６は、入力データ受付部７２が受付けた原稿データ（既に、入力データ受付部７２が受付けた原稿データに原稿データ処理部８６が処理を行なっている場合には、当該処理後の原稿データ）に対し、操作受付部７４が受付けた操作に対応する設定内容の処理を行なう。
【０１１２】
ここで、上述のように操作に対応する設定内容が２つある場合には、入力表示操作に対応付けられている方の設定内容が処理される。
【０１１３】
ステップ１１２（Ｓ１１２）において、入力データ表示部７８は、ステップ１１０において原稿データ処理部８６による処理がなされた原稿データを原稿データ表示領域９０に表示する。
【０１１４】
ステップ１１４（Ｓ１１４）において、レイアウト処理部８８は、操作順序記憶部８０に出力表示操作が記憶されている場合には、記憶されている操作順序に従って、ステップ１１０において原稿データ処理部８６による処理がなされた原稿データに対し、記憶されている設定内容の処理を行ない、印刷データとして出力データ表示部８２へと出力する。操作順序記憶部８０に出力表示操作が記憶されていない場合には、原稿データ処理部８６からの原稿データを印刷データとして出力データ表示部８２へ出力する。ここで、上述のように操作に対応する設定内容が２つある場合には、出力表示操作に対応付けられている方の設定内容が処理される。
【０１１５】
ステップ１１６（Ｓ１１６）において、出力データ表示部８２は、ステップ１１４においてレイアウト処理部８８から出力された印刷データを印刷データ表示領域９２に表示し、ステップ１０４へ戻る。
【０１１６】
ステップ１１８（Ｓ１１８）において、操作受付部７４は、ステップ１０４において受付けた操作が出力表示操作であるか否かを判定し、出力表示操作である場合にはステップ１２０へ移行し、出力表示操作ではない場合には、ステップ１２８へ移行する。
【０１１７】
ステップ１２０（Ｓ１２０）において、操作受付部７４は、ステップ１０４において受付けた操作が印刷条件の設定についての操作であるか否かを判定し、印刷条件の設定についての操作である場合には、ステップ１２２へ移行し、印刷条件の設定についての操作でない場合にはステップ１０４へと戻る。
【０１１８】
ステップ１２２（Ｓ１２２）において、操作順序記憶部８０は、ステップ１０４において操作受付部７４が受付けた出力表示操作を記憶する。ここで、既に操作順序記憶部８０に出力表示操作が記憶されている場合には、既に記憶されている操作と新たに記憶する操作との順序関係も含めて記憶する。このように、操作順序記憶部８０には、操作者が行なった出力表示操作が操作順序とともに記憶されることになる。
【０１１９】
ステップ１２４（Ｓ１２４）において、レイアウト処理部８８は、現在の印刷データに対し、ステップ１０４において操作受付部７４が受付けた出力表示操作に対応する設定内容の処理を行ない、処理がなされた印刷データを出力データ表示部８２へ出力する。ここで、上述のように操作に対応する設定内容が２つある場合には、出力表示操作に対応付けられている方の設定内容が処理される。
【０１２０】
ステップ１２６（Ｓ１２６）において、出力データ表示部８２は、ステップ１２４においてレイアウト処理部８８から出力された印刷データを印刷データ表示領域９２に表示し、ステップ１０４へ戻る。
【０１２１】
ステップ１２８（Ｓ１２８）において、設定部７６は、操作者による印刷条件の設定が完了したか否かを判定し、設定が完了するまで、ステップ１０４からステップ１２８までの動作を繰り返す。なお、印刷条件の設定の完了は、例えば、印刷を指示する命令の受領等により判断される。
【０１２２】
以上のフローチャートにより、図４乃至１４により説明した印刷条件の設定がなされるが、最後に、具体例を用いて、上記フローチャートの動作を説明する。
【０１２３】
図１６は、割当設定、余白幅を変更する設定、付加画像を付加する設定及び合紙を挿入する設定を行なった場合の印刷条件について説明する模式図である。
【０１２４】
図１６に示した例では、操作者は以下の手順で、操作を行なったものと仮定する。まず、出力表示操作として割当設定を行い（以下、第１の操作という）、次に出力表示操作として余白幅を変更する設定を行い（以下、第２の操作という）、次に出力表示操作として付加画像を付加する設定を行い（以下、第３の操作という）、最後に入力表示操作として合紙を挿入する設定を行う（以下、第４の操作という）。
【０１２５】
上記、第１の操作から第４の操作について、図１５に示したフローチャートと対応させると次のようになる。
【０１２６】
原稿データが画面に表示され（ステップ１００，１０２）、第１の操作が受付けられる（ステップ１０４）。ここで、第１の操作は出力表示操作であるから（ステップ１０６，１１８，１２０）、第１の操作が記憶されるとともにレイアウト処理部８８による処理がなされる（ステップ１２２，１２４）。そして、図１６（ａ）に示される印刷データが印刷データ表示領域９２に表示される（ステップ１２６）。
【０１２７】
次に、第２の操作が受付けられる（ステップ１０４）。第１の操作と同様、ステップ１０６，１１８，１２０，１２２，１２４の順に動作し、図１６（ｂ）に示される印刷データが印刷データ表示領域９２に表示される（ステップ１２６）。
【０１２８】
次に、第３の操作が受付けられる（ステップ１０４）。第１の操作及び第２の操作と同様、ステップ１０６，１１８，１２０，１２２，１２４の順に動作し、図１６（ｃ）に示される印刷データが印刷データ表示領域９２に表示される（ステップ１２６）。
【０１２９】
最後に、第４の操作が受付けられる（ステップ１０４）。ここで、第４の操作は入力表示操作であるから（ステップ１０６，１０８）、原稿データ処理部８６によって、ステップ１００で受付けた原稿データに対する処理がなされ（ステップ１１０）、原稿データが表示される（ステップ１１２）。また、ステップ１１０による処理がなされた原稿データに対して操作順序記憶部８０に記憶された第１の操作から第３の操作が、順に処理される（ステップ１１４）。そして、図１６（ｄ）に示される印刷データが印刷データ表示領域９２に表示される（ステップ１１６）。
【０１３０】
ここで、図１６（ｃ）と図１６（ｄ）とを比較すると、第４の操作に係る、割付された右上ページにおいて合紙が挿入されているか否かの差異があるのみである。このように、第４の操作（入力表示操作）を行なっても、印刷データに対する第１の操作から第３の操作までの操作順序は維持され、レイアウトも維持される。
【符号の説明】
【０１３１】
１０          画像形成装置
１２          印刷装置
１４          画像読取装置
５０          ＵＩ装置
７０          プログラム
７２          入力データ受付部
７４          操作受付部
７６          設定部
７８          入力データ表示部
８０          操作順序記憶部
８２          出力データ表示部
８４          出力部
８６          原稿データ処理部
８８          レイアウト処理部
９０          原稿データ表示領域
９２          印刷データ表示領域
９４          設定用画像表示領域
【図１】
0005483128.tif 000002
【図２】
0005483128.tif 000003
【図３】
0005483128.tif 000004
【図４】
0005483128.tif 000005
【図５】
0005483128.tif 000006
【図６】
0005483128.tif 000007
【図７】
0005483128.tif 000008
【図８】
0005483128.tif 000009
【図９】
0005483128.tif 000010
【図１０】
0005483128.tif 000011
【図１１】
0005483128.tif 000012
【図１２】
0005483128.tif 000013
【図１３】
0005483128.tif 000014
【図１４】
0005483128.tif 000015
【図１５】
0005483128.tif 000016
【図１６】
0005483128.tif 000017